(57)【特許請求の範囲】
【請求項１】
無線機とアンテナとを接続してマイクロ波を給電するための給電手段として用いられ、コルゲート状に凹凸が形成された導波管を接地するための接地用具であって、
前記導波管の外周面に内周面が接触するように取り付けられる接触部を備え、
該接触部の内周面には、前記導波管の凹凸と相互に噛み合う凹凸が設けられ、該接触部には、接地片が一体に接続されていることを特徴とする接地金具。
【請求項２】
前記接触部の外周を覆うように取り付けられるとともに、前記導波管の軸方向に前記接触部から所定の長さ突出するゴム板と、該ゴム板を締め付けて前記導波管に密着させる締結具とを備えた防水手段を更に備えることを特徴とする請求項１に記載の接地金具。
【発明の詳細な説明】
【技術分野】
【０００１】
本発明は、無線機とアンテナとを接続する導波管を地面等に接地する際に用いられる接地金具に関する。
【背景技術】
【０００２】
無線機とアンテナとを接続してマイクロ波を給電するための給電手段として用いられる導波管に、落雷で雷サージ電流が流れると無線機等が破損するため、導波管は接地金具で接地されている。
【０００３】
一般的に、導波管は、管壁にコルゲート状の凹凸の形成された金属管とその外周を覆う被覆材とからなり、接地金具を接触させる際は、被覆材の一部を除去して導波管の金属部分を露出させ、この露出した金属部分に接地金具を接触させる。その後、被覆材を除去した金属部分、接地金具の接触部及び露出した金属部分の両側に位置する被覆材の一部を覆うようにシーリング材を塗布し、雨水等の水分が導波管の金属部分に接触しないように防水加工を施している。
【発明の開示】
【発明が解決しようとする課題】
【０００４】
しかしながら、上記のようにシーリング材を塗布する方法では、導波管と接触する接地金具の接触面が平らで、導波管の凸部のみと接触しているので、導波管が強風等で揺れると接触部にがたつきが生じて、シーリング材と被覆材との間に隙間が生じ、その隙間から水分が浸入するおそれがある。その場合、浸入した水分が導波管の金属部分に接触すると、導波管が腐食してしまうという問題点があった。
【０００５】
そこで、本発明は、上記のような従来の問題に鑑みなされたものであって、導波管との接触にがたつきを生じない接地金具を提供することを目的とする。
【課題を解決するための手段】
【０００６】
上記のような課題を解決するために、本発明は、以下のような手段を採用している。
すなわち、本発明は、無線機とアンテナとを接続してマイクロ波を給電するための給電手段として用いられ、コルゲート状に凹凸が形成された導波管を接地するための接地用具であって、前記導波管の外周面に内周面が接触するように取り付けられる接触部を備え、該接触部の内周面には、前記導波管の凹凸と相互に噛み合う凹凸が設けられ、該接触部には、接地片が一体に接続されていることを特徴とする。
【０００７】
本発明の接地金具によれば、導波管の外周面に内周面に接触するように取り付けられる接触部を備え、接触部の内周面には、導波管の凹凸と相互に噛み合う凹凸が設けられ、接触部には、接地片が一体に接続されているので、導波管の凹凸と接触部の凹凸とが互いにしっかり噛み合って接触し、導波管が強風等で揺れても全くがたつきを生じない。したがって、導波管との接触にがたつきを生じることがないので、シーリング材と被覆材との間に隙間が生じず、水分の浸入を確実に防止することができる。また、導波管の凹凸と接触部の凹凸とが接触するので、接触面積が大きくなって導電性が向上する。
【０００８】
また、本発明において、前記接触部の外周を覆うように取り付けられるとともに、前記導波管の軸方向に前記接触部から所定の長さ突出するゴム板と、該ゴム板を締め付けて前記導波管に密着させる締結具とを備えた防水手段を更に備えることとしてもよい。
【０００９】
本発明の接地金具によれば、接触部の外周を覆うように、かつ導波管の軸方向に接触部から所定の長さ突出するように取り付けられるゴム板と、ゴム板を締め付けて導波管に密着させる締結具とを備えた防水手段を備えているので、水分が導波管の金属部分に浸入することがないので、導波管が腐食するのを防止できる。
【発明の効果】
【００１０】
本発明の接地金具を用いることにより、導波管との接触にがたつきが生じなくなる。
【発明を実施するための最良の形態】
【００１１】
以下、本発明に係る導波管を地面等の接地点に接地するための接地金具の好ましい実施形態について図面を用いて詳細に説明する。
【００１２】
図１は、本発明の実施形態に係る接地金具１を示す側面図で、図２は図１のＡ−Ａ’断面図である。
【００１３】
図１及び図２に示すように、導波管２を接地するための接地金具１は、略Ｃ字形状を有し、導波管２に接触する接触部４と、一端は略Ｃ字形の接触部４の片端に一体に接続され、他端は地中に挿入されて雷サージ電流を大地に放電するための板状の接地片５と、接触部４及びその周辺を覆って、接触部４付近への水分の浸入を防止するための防水手段６とから構成される。
【００１４】
接地片５の接続されていない接触部４の片端には、外方に突出する板材８が一体に接続されている。そして、接地片５の接触部４に接続されている側の端部及び板材８には、ボルト９を挿通可能な貫通孔１０がそれぞれ設けられている。
【００１５】
接触部４の内周面には、導波管２の金属部分にコルゲート状に形成されている凹凸と噛み合うことが可能な凹凸が形成されている。そして、接触部４を導波管２に接触させると、凹凸同士が互いにしっかりと噛み合うので、導波管２が強風等で揺らいでも導波管２との接触部４にがたつきは全く生じない。
【００１６】
また、凹凸が設けられた接触部４の内周面は、導電性を有するので、雷サージ電流は接触部４の内周面全体から接地金具１に流入する。
【００１７】
防水手段６は、接触部４の外周を覆うように取り付けられ、導波管２の軸方向に接触部４から所定の長さだけ突出するゴム板１２と、ゴム板１２を締め付けて導波管２に密着させる締結具１３とを備えている。ゴム板１２は、接着剤で接触部４に固着されている。
【００１８】
締結具１３は、ゴム板１２の外周を覆うような略Ｃ字形状を有し、両端にそれぞれ外方に突出する板部１４を備えており、この両板部１４には上記ボルト９を挿通可能な貫通孔１０が設けられている。
【００１９】
板材８及び接地片５の両貫通孔１０と、板部１４の両貫通孔１０とにボルト９を挿通し、ボルト９及びナット１１を締め付けることにより、接触部４の凹凸を導波管２の金属部分の凹凸に密着して接触させると同時に、ゴム板１２を接触部４及び導波管２の被覆材７の外周面に密着させることができる。
【００２０】
図３は、本実施形態に係る接地金具１の使用例を示す概略図である。図４は、図３の点線丸枠部分を拡大した図である。
【００２１】
図３に示すように、導波管２は、地上に設置されている無線機１５と鉄塔１６の上部に取り付けられているアンテナ１７とを接続している。
【００２２】
接地金具１は、雷が鉄塔１６に落ちた際に生じる雷サージ電流を大地に放電するように、一端が導波管２を握持し、他端が地中に挿入されている。
【００２３】
図４に示すように、接地金具１を導波管２に接触させる際は、導波管２の被覆材７の一部を除去して導波管２の金属部分を露出させ、接地金具１の接触部４を露出した金属部分に接触させる。また、接地金具１の防水手段６が、導波管２の金属部分及び接触部４を完全に覆うとともに、導波管２の金属部分の両側に位置する被覆材７の端部までを覆うように取り付ける。被覆材７の端部までを覆うことにより、導波管２の金属部分への水分の浸入を防止する。
【００２４】
以上説明したように、本実施形態の接地金具１によれば、導波管２と接触する接触部４に、導波管２の金属部分に形成されている凹凸と噛み合うことが可能な凹凸を設けたので、導波管２の凹凸と接触部４の凹凸とが互いにしっかり噛み合って接触し、導波管２が強風等で揺れてもがたつきを生じない。したがって、導波管２との接触にがたつきを生じないので、防水手段６と被覆材７との間に隙間が生じず、水分の浸入を確実に防止することができる。また、導波管２の金属部分の凹凸と接触部４の凹凸とが接触するので、接触面積が広くなって導電性が向上する。
【００２５】
さらに、接触部４周辺及び導波管２の金属部分の両側に位置する被覆材７の端部までを覆うような防水手段６を備えているので、水分が導波管２の金属部分に浸入することがない。したがって、導波管２が腐食することを防止できる。
【００２６】
なお、本実施形態においては、地面３を接地点として接地金具１を地面３に接地する場合について説明したが、これに限定されるものではなく、雷サージ電流を放電するための専用具が設けられている場合は、接地金具１をその専用具に接続すればよい。
【００２７】
また、本実施形態においては、防水手段６を備えた接地金具１を用いて、導波管２に接触している接触部４を防水手段６で覆うことにより防水する場合について説明したが、これに限定されるものではなく、導波管２の金属部分の外周にすずメッキ等を塗布して防水加工された導波管２を用いてもよく、この導波管２を用いる場合は、導波管２の防水加工された金属部分に水分が接触しても錆びないので、防水手段６を備えていない接地金具１を用いることができる。
【図面の簡単な説明】
【００２８】
【図１】本発明の実施形態に係る接地金具を示す側面図である。
【図２】図１のＡ−Ａ断面図である。
【図３】本実施形態に係る接地金具の使用例を示す概略図である。
【図４】図３の点線丸枠部分を拡大した図である。
【符号の説明】
【００２９】
１  接地金具
２  導波管
３  地面
４  接触部
５  接地片
６  防水手段
７  被覆材
８  板材
９  ボルト
１０  貫通孔
１１  ナット
１２  ゴム板
１３  締結具
１４  板部
１５  無線機
１６  鉄塔
１７  アンテナ
【図１】
0005030845.tif 000002
【図２】
0005030845.tif 000003
【図３】
0005030845.tif 000004
【図４】
0005030845.tif 000005